(57)【要約】【課題】  ユーザの操作性、利便性を向上させることができる自動扉施錠システムを提供する。【解決手段】  解錠の指示に応じて錠を解錠する電子錠施錠装置と自動扉施錠制御装置とが接続される自動扉施錠システムであって、前記自動扉施錠制御装置は、前記錠の解錠が可能な鍵の識別番号を鍵ＩＤとして記憶する第１の鍵情報記憶部と、ＩＣチップを有する端末装置から当該ＩＣチップに記憶されたＩＤコードを読み出すＩＤコード読み出し部と、前記第１の鍵情報記憶部を参照し、前記ＩＤコード読み出し部によって読み出したＩＤコードに一致するＩＤコードが記憶されているか否かを検索する検索部と、前記検索部の検索結果に基づいて、ＩＤコードに一致する鍵ＩＤが検索された場合に、前記電子錠施錠装置に解錠の指示を出力する解錠指示出力部とを有する。【選択図】    図１
2006322172.tif 000002
【特許請求の範囲】
【請求項１】
解錠の指示に応じて錠を解錠する電子錠施錠装置と自動扉施錠制御装置とが接続される自動扉施錠システムであって、
前記自動扉施錠制御装置は、
前記錠の解錠が可能な鍵の識別番号を鍵ＩＤとして記憶する第１の鍵情報記憶部と、
ＩＣチップを有する端末装置から当該ＩＣチップに記憶されたＩＤコードを読み出すＩＤコード読み出し部と、
前記第１の鍵情報記憶部を参照し、前記ＩＤコード読み出し部によって読み出したＩＤコードに一致するＩＤコードが記憶されているか否かを検索する検索部と、
前記検索部の検索結果に基づいて、ＩＤコードに一致する鍵ＩＤが検索された場合に、前記電子錠施錠装置に解錠の指示を出力する解錠指示出力部と、
を有することを特徴とする自動扉施錠システム。
【請求項２】
前記自動扉施錠制御装置は、
自動扉施錠制御装置内の各部に電源を供給する第１の電源部を有し、
前記電子錠施錠装置は、
電子錠施錠装置内の各部に電源を供給する第２の電源部と、
解錠するための入力情報を入力する入力部と、
前記錠の解錠が可能な鍵の識別番号を鍵ＩＤとして記憶する第２の鍵情報記憶部と、
前記第２の鍵情報記憶部を参照し、前記入力部から入力される入力情報に一致するＩＤコードが記憶されているか否かを検索する第２の検索部と、
前記第２検索部の検索結果に基づいて、入力情報に一致する鍵ＩＤが検索された場合に、錠を解錠する解錠部と
を有することを特徴とする請求項１記載の自動扉施錠システム。
【請求項３】
前記自動扉施錠システムは、
管理端末がさらに接続され、
前記管理端末は、前記端末装置からの登録要求と当該端末装置が有するＩＣチップに記憶されたＩＤコードとを受信し、登録対象となる自動扉施錠制御装置の第１の鍵情報記憶部に受信したＩＤコードを書き込む
ことを特徴とする請求項１または２記載の自動扉施錠システム。
【発明の詳細な説明】
【技術分野】
【０００１】
本発明は、ＩＣチップ入りカード及び携帯電話等を用いて扉を開閉する自動扉施錠システムに関する。
【背景技術】
【０００２】
近年、オフィスや一般家庭におけるホームセキュリティへの関心の高まりと共に、自動扉施錠システムが急速に普及しつつある。このような自動扉施錠システムの一形態として、帰宅者や入室者が、解錠キーを錠に直接差し込まなくても、掌中の赤外線キーのスイッチを押すことによって、赤外線を、錠の一部に設けた赤外線センサに向けて発射し、解錠を行うことができるものがある。また、ＩＤが記憶されたＩＣチップを搭載するカードをカードリーダにかざすことによって、解錠するＩＣカードリーダ錠が提供されている。
このような施錠システムとしては、例えば、下記の特許文献１のシステムが提供されている。
【特許文献１】特開平１０−１７６４４６号公報
【発明の開示】
【発明が解決しようとする課題】
【０００３】
しかしながら、上述した施錠システムにおいて用いられる赤外線は、光空間伝送なので、その伝送距離が例えば２ｍ以内の短距離に限られ、また、赤外線の指向性によって赤外線キーを正確に錠に向けて操作しなくてはならないため、使い勝手が悪く、特に夜間等における解錠、施錠は問題を有していた。
また、外出時にＩＣチップが搭載されたカードを持ち歩くとなると、家から持ち出すものが多くなり、持ち出しを忘れると解錠できなくなる問題があった。
【０００４】
また、従来技術におけるカードリーダ錠は、予め登録されたＩＤを記憶しているＲＯＭによりＩＤを認識させるため、合い鍵などを作る場合に、そのＩＣチップが搭載されたＩＣカードの複製が必要となる。そうすると、複製するためには、ユーザは、管理会社などを経由してＩＣカード発行業者に再発行を依頼しなければならず、実際にＩＣカードが発行されるまでには相当の期間が必要となり、すぐには、利用できない場合があった。これは、赤外線を用いた施錠システムにおいても同様である。また、カードや赤外線式リモコンが盗難にあった場合には、第三者に解錠されてしまう可能性がある。また、電源部が必要となる構造のため、停電時には施錠解錠ができなくなるという問題点がある。
【０００５】
本発明は、このような事情に鑑みてなされたもので、その目的は、ユーザの操作性、利便性を向上させることができる自動扉施錠システムを提供することにある。
【課題を解決するための手段】
【０００６】
上述した課題を解決するために、本発明は、解錠の指示に応じて錠を解錠する電子錠施錠装置と自動扉施錠制御装置とが接続される自動扉施錠システムであって、前記自動扉施錠制御装置は、前記錠の解錠が可能な鍵の識別番号を鍵ＩＤとして記憶する第１の鍵情報記憶部と、ＩＣチップを有する端末装置から当該ＩＣチップに記憶されたＩＤコードを読み出すＩＤコード読み出し部と、前記第１の鍵情報記憶部を参照し、前記ＩＤコード読み出し部によって読み出したＩＤコードに一致するＩＤコードが記憶されているか否かを検索する検索部と、前記検索部の検索結果に基づいて、ＩＤコードに一致する鍵ＩＤが検索された場合に、前記電子錠施錠装置に解錠の指示を出力する解錠指示出力部と、を有することを特徴とする。
【０００７】
また、本発明は、上述の自動扉施錠システムにおいて、前記自動扉施錠制御装置は、自動扉施錠制御装置内の各部に電源を供給する第１の電源部を有し、前記電子錠施錠装置は、電子錠施錠装置内の各部に電源を供給する第２の電源部と、解錠するための入力情報を入力する入力部と、前記錠の解錠が可能な鍵の識別番号を鍵ＩＤとして記憶する第２の鍵情報記憶部と、前記第１の鍵情報記憶部を参照し、前記入力部から入力される入力情報に一致するＩＤコードが記憶されているか否かを検索する第２の検索部と、前記第２検索部の検索結果に基づいて、入力情報に一致する鍵ＩＤが検索された場合に、錠を解錠する解錠部とを有することを特徴とする。
【０００８】
また、本発明は、上述の自動扉施錠システムにおいて、前記自動扉施錠システムは、管理端末がさらに接続され、前記管理端末は、前記端末装置からの登録要求と当該端末装置が有するＩＣチップに記憶されたＩＤコードとを受信し、登録対象となる自動扉施錠制御装置の第１の鍵情報記憶部に受信したＩＤコードを書き込むことを特徴とする。また、前記自動扉施錠制御装置またはサーバ１から情報を取り出すことができる。
【発明の効果】
【０００９】
以上説明したように、この発明によれば、ＩＣチップを有する端末装置を用いるようにし、ＩＤコード読み出し部によって読み出したＩＤコードに一致するＩＤコードが記憶されているか否かを検索し、ＩＤコードに一致する鍵ＩＤが検索された場合に、電子錠制御装置に解錠の指示を出力するようにした。これにより、ユーザは、ＩＣチップ入りの持ち慣れた携帯電話などの端末装置を携帯することにより、解錠することができるので、持ち出すものを少なくすることができ、携帯することが慣れていないカードなど別途持ち運ぶ意識をしなくてすむ。また、端末装置を用いるようにしても、セキュリティを維持することができる。
【００１０】
また、本発明によれば、自動扉施錠制御装置と電子錠施錠装置とにそれぞれ異なる電源を設けるとともに、電子錠施錠装置に２ボタン式入力部とを設けるようにしたので、自動扉施錠制御装置の電源がダウンした場合においても、電子錠施錠装置に別途設けられた電源によって駆動し、２ボタン式入力部から入力される入力情報に基づいて解錠することができる。
【００１１】
また、本発明によれば、端末装置と管理端末によって、端末装置のＩＤコードを登録することができるので、新たに登録したＩＤコードを合い鍵として利用することができ、従来に比べて発行にかかる手間を省くことができる。
【発明を実施するための最良の形態】
【００１２】
以下、本発明の一実施形態による自動扉施錠システムについて図面を参照して説明する。図１は、この発明の一実施形態による自動扉施錠システムの機能構成を示す概略ブロック図である。この図において、自動扉施錠システムは、鍵制御ボード２がＬＡＮ（ローカルエリアネットワーク）等のネットワーク１００を介してサーバ１に接続されるとともに、ＩＣチップ搭載端末５に対して通信を行うリーダライタ３と、電子錠施錠装置４とに接続される。
【００１３】
サーバ１は、ネットワーク１００を介して入居者端末６と管理端末７とに接続される。このサーバ１は、ＩＣチップに記憶されたＩＤコードならびに顧客データ等が記憶されたＩＤ情報データベースを一元的に管理するデータ管理部１１、遠隔に自動扉施錠システムが保有するメモリ内のデータを書き換えるデータ書き換え部１２、入居者端末６に対して各種情報を送信する通信部１３、各種情報を記憶するデータベース１４を有する。
【００１４】
データベース１４は、ＩＤ情報データベースと、解錠した履歴を記憶する解錠履歴データベースと、装置に異常が発生した履歴を記憶する装置異常記録データベースとによって構成される。ＩＤ情報データベースには、例えば、錠の解錠が可能な鍵となるＩＤコード、解錠する対象の扉を特定するための扉ＩＤ（例えば、マンション名と部屋番号との組み合わせの情報）、ＩＤコードの有効期間、所有者名称、電子メールアドレス、携帯電話の電話番号などが対応付けられて記憶される。このＩＤ情報は、入居者以外に、管理会社の端末、管理人の端末に対してＩＤコードを割り当てておき、解錠可能にしてもよい。この場合、管理会社の端末には有効期限を設けず、管理人の端末に有効期限を設けるようにしてもよい。
【００１５】
ＩＣチップ搭載端末５は、無線によってリーダライタ３と通信を行うＩＣチップを搭載した記録媒体が設けられた端末であり、例えば、Ｆｅｌｉｃａ（登録商標）を搭載したカードあるいは携帯電話などである。このＩＣチップには、ユーザを識別するためのＩＤコードが記憶される。なお、ここでは、ＩＣチップが設けられた媒体がＩＣチップ搭載端末５である場合について説明するが、ＩＣチップが搭載されたカードであってもよい。
【００１６】
鍵制御ボード２は、シリアルポートを有し、このシリアルポートにリーダライタ３がシリアル接続されるとともに、Ｉ／Ｏポートを有し、このＩ／Ｏポートに例えば、ＲＳ−２３２Ｃなどのインタフェースを介して電子錠施錠装置４が接続される。この鍵制御ボード２は、必要に応じて交換可能であり、例えば、改良型の鍵制御ボードに交換する場合、電子錠制御装置４はそのままに設置しておき、鍵制御ボードの部分のみ交換することが可能である。なお、必要に応じてリーダライタも交換可能である。
【００１７】
この鍵制御ボード２において、ネットワーク関連機能部２１は、ネットワーク１００に接続され、サーバ１と各種情報の通信を行う。この接続は、ＬＡＮ接続であってもよい。メモリ２２（第１の鍵情報記憶部に相当）は、錠の解錠が可能な鍵の識別番号を鍵ＩＤとして記憶する。また、メモリ２２は、解錠および施錠を行った履歴をＩＤコードと対応付けてログ情報として記憶する。外部Ｒ／Ｗ制御エンジン部２３は、リーダライタ３から出力されるデータをメインアプリケーション部２４に出力し、メインアプリケーション部２４から出力されるデータをリーダライタ３に出力する。メインアプリケーション部２４は、各部を制御する（詳細は後述する）。このメインアプリケーション部２４は、適宜更新することによりアップデートが可能である。
【００１８】
鍵制御機能部２５は、メインアプリケーション部２４から出力されるＩＤコードに一致する鍵ＩＤがメモリ２２に記憶されているか否かを検索する機能と、この検索結果に基づいて、ＩＤコードに一致する鍵ＩＤがメモリ２２から検索された場合に、電子錠施錠装置４に解錠の指示を出力する機能とを有する。また、鍵制御機能部２５は、自身の鍵制御ボード２の制御対象となる電子錠制御装置４を解錠させるＩＤコードをメモリ２２に書き込む。この書き込みは、ＩＣチップ搭載端末５、サーバ１、入居者端末６等からの指示に基づいて書き換えが可能である。
【００１９】
リーダライタ３は、外壁と同じ素材で仕上げる、あるいは、外壁部材の室内側または扉の外面部材の室内側に設けられる。これにより、外部から視認されにくくなり、いたずらや侵入防止を図ることが可能である。ＩＣチップ搭載端末５のＩＣチップに記憶されたＩＤコードを読み出して、外部Ｒ／Ｗ制御エンジン部２３を介してメインアプリケーション部２４に出力する機能と、外部Ｒ／Ｗ制御エンジン部２３を介して出力されるメインアプリケーション部２４からの指示に応じた制御信号を出力する。この鍵制御ボード２とリーダライタ３との組み合わせが自動扉施錠制御装置２０に相当する。
【００２０】
電子錠施錠装置４は、施錠・解錠する対象となる扉やドア等に設けられ、鍵制御ボード２からの解錠の指示または外部に設けられる２ボタン式入力部から入力される情報に基づいて、錠を解錠する。電子錠制御装置４は、解錠した後、所定の時間が経過した後、あるいは、扉が一旦開き、閉になった場合に施錠する。この電子錠制御装置４は、例えば、特願平１０−２５９３５１の自動扉施錠システムを適用することも可能である。
【００２１】
次に、上述した図１の構成における自動扉施錠システムについて、図２を用いてさらに説明する。図２は、自動扉施錠システムの構成を示す概略ブロック図である。この図において、自動扉施錠制御装置２０は、ネットワーク装置２１０、入力インタフェース２２０、フラッシュＲＯＭ２３０、ＣＰＵ（中央処理装置）２４０、ＲＡＭ２５０、出力インタフェース２６０、電子錠制御コントローラ２７０、リーダライタ３、ＲＴＣ２８０、ＡＣ−ＤＣコンバータ２９０によって構成され、フラッシュＲＯＭ２３０やＲＡＭ２５０に記憶されたプログラムを読み出してＣＰＵ２４０が実行することにより、図１におけるネットワーク関連機能２１、外部Ｒ／Ｗ制御エンジン部２３、メインアプリケーション部２４、鍵制御機能部２５の機能を実現する。ここでは、フラッシュＲＯＭ２３０が図１のメモリ２２に相当する。また、自動扉施錠制御装置２０は、電源部２６からＡＣ−ＤＣコンバータ２９０を介して交流から直流に変換され供給される電源によって駆動する。この電源部２１としては、例えば、商用電源が利用される。
【００２２】
電子錠制御装置４において、制御部は、ＣＰＵ（中央演算装置）４５と、ＲＯＭ４６と、ＲＡＭ４７と、入力インタフェース４８と、出力インタフェース４９とから構成される。入力インタフェース４８には、２ボタン式入力部２１と、解錠スイッチ４４と、不良閉扉状態検知センサの一例である閉扉検知センサ５０とが接続される。ここで、閉扉検知センサ５０は、扉が完全に閉状態になっているか否かを検知する機能を有し、閉状態になっていない場合に不良閉扉状態通報手段の一例である不良閉扉ブザー５２によって不良閉扉状態を通報する。出力インタフェース４９には、扉施錠機構１５と、開扉通報手段の一例である解錠音発生装置５３と、不良閉扉ブザー５２が接続される。閉扉検知センサ５０は、例えば、扉の前面の上方部と対峙する壁の中に埋設された状態で取付けられている。
また、電子錠制御装置４は、単一の電源部４１から供給される電源によって、受信機１８、２ボタン式入力部２１、解錠スイッチ４４、閉扉検知センサ５０、扉施錠機構１５、不良閉扉ブザー５２、解錠音発生装置５３に給電可能に構成されている。 この電源部４１としては、例えば、乾電池などの蓄電池が適用される。
【００２３】
扉施錠機構１５は、例えば、開閉する扉の室内側面に設けられるプランジャ係止孔に対し、電子錠施錠装置に設けられるプランジャを進退せしめることにより、施錠・解錠を行い、扉に設けられたドアノブを回すことによって扉を開閉させることが可能である。また、室内側面に設けられた係止部材と、電子錠施錠装置に設けられる係止部材とを電磁的に結合・開放することによって施錠・解錠を行うように構成することも可能である。この扉施錠機構１５の位置は、変更可能である。例えば、ラッチ部分を外部から認識できない構造にしたり、扉の外周面に沿って移動可能に設け所定の期間毎に位置を変更するようにしたり、設置個数を複数設けるようにしてもよい。これにより、ラッチが外部から破壊されてしまうことを防止することができる。
【００２４】
２ボタン式入力部２１は、２個のボタンから情報を入力するものであり、例えば、「０」と「１」のボタンが設けられ、解錠するための数桁（１４桁等）のコード（入力情報）を入力することが可能である。この入力されたコードとＲＯＭ４６またはＲＡＭ４７に記憶されたコードとが一致するか否かをＣＰＵ４５によって検出し、一致している場合に解錠することによって、自動扉施錠制御装置２０が電源供給停止などの非常事態において応急的に対応することも可能である。
【００２５】
図３は、自動扉施錠システムの動作を説明するための図面である。ここでは、マスターとなる鍵の所有者が有するＩＣチップ搭載端末５によって解錠する場合について説明する。まず、管理者によって、マスター鍵の発行指示が管理用ＰＣから入力されると、管理端末７は、発行登録を自動扉施錠制御装置２０に送信する（ステップＳ１）。ここでは、どの端末に対して発行するかを特定するための情報として電子メールアドレスも含めて送信する。
自動扉施錠制御装置２０のアプリケーション部２４は、管理端末７からの発行登録をメモリ２２に記憶し、マスター鍵登録通知メールをネットワーク関連機能２１によってＩＣチップ搭載端末５に電子メールにて送信する（ステップＳ２）。この電子メールには、ＩＣチップ搭載端末５のＩＣチップに記憶されたＩＤコードをサーバ１に送信するためのアプリケーションが保存されたアクセス先（サーバ１）を示すＵＲＬが記述されて送信される。
【００２６】
ＩＣチップ搭載端末５は、ユーザからの指示に基づいて、電子メールが開封され本文に記載されたＵＲＬにアクセスし、アクセス先のサーバ１に保管されたアプリケーションをダウンロードし（ステップＳ４）、ダウンロードしたアプリケーションを実行し、ＩＣチップ内に記憶されたＩＤコードを読み出し（ステップＳ５）、自動扉施錠制御装置２０に送信する（ステップＳ６）。ここでは、送信する際に、ＩＣチップ搭載端末５の携帯電話固有情報となる電子メールアドレスとともに送信する。
自動扉施錠制御装置２０のアプリケーション部２４は、ＩＤコードと携帯電話固有情報とを受信し、これらの対応付けてメモリ２２に記憶して、マスター鍵を有効として設定する（ステップＳ７）。そして、マスター鍵となるＩＤコードと携帯電話固有情報とをマスター鍵情報としてサーバ１に送信し、サーバ１のＩＤデータベースにＩＤ情報として登録する（ステップＳ８）。
【００２７】
そして、玄関等の扉を解錠する場合、ユーザによってリーダライタ３の通信距離内にＩＣチップ搭載端末５が近付けられると、ＩＣチップ搭載端末５に記憶されたＩＤコードがリーダライタ３によって読み取られ、自動扉施錠制御装置２０に出力される（ステップＳ９）。
自動扉施錠制御装置２０のアプリケーション部２４は、リーダライタ３によって読み出されたＩＤコードとメモリ２２に鍵ＩＤとして記憶されたＩＤコードとを比較し、一致するか否かを照合し、一致する場合に解錠する指示を電子錠制御装置４に出力する（ステップＳ１０）。これにより、電子錠制御装置４の錠が解錠される。そして、アプリケーション部２４は、施錠状態から解錠状態に遷移したことを状態変化としてサーバ１に送信する（ステップＳ１１）。これにより、錠のステータスの変更履歴としてサーバ１のデータベース１４に記憶される（ステップＳ１２）。さらにアプリケーション部２４は錠の変更履歴をメモリ２２に記憶する（ステップＳ１３）。
【００２８】
次に、合い鍵となるＩＣチップ搭載端末５を用いて解錠する場合について説明する。図４は、合い鍵となるＩＣチップ搭載端末５の場合における自動扉施錠システムの動作を説明するための図面である。
マスター側のＩＣチップ搭載端末５は、アプリケーションを実行することにより、合い鍵作成画面を呼び出し（ステップＳ２１）、合い鍵を付与する対象となるＩＣチップ搭載端末５の識別情報（例えば電子メールアドレス）とともに、合い鍵作成依頼を自動扉施錠制御装置２０に送信する（ステップＳ２２）。
【００２９】
自動扉施錠制御装置２０は、マスター側のＩＣチップ搭載端末５から受信した合い鍵の付与対象のＩＣチップ搭載端末５の電子メールアドレスを宛先にし、合い鍵発行通知を電子メールにてＩＣチップ搭載端末５に送信する（ステップＳ２３）。
合い鍵側のＩＣチップ搭載端末５は、自動扉施錠制御装置２０から受信したメールに記述されたＵＲＬにアクセスし、サーバ１からアプリケーションをダウンロードし（ステップＳ２４）、実行する。そして、実行したアプリケーションによって、自身のＩＣチップ搭載端末５内のＩＤコードを読み出し（ステップＳ２５）、携帯電話固有情報（電子メールアドレス）とともに自動扉施錠制御装置２０に送信する（ステップＳ２６）。
【００３０】
自動扉施錠制御装置２０のアプリケーション部２４は、ＩＣチップ搭載端末５から通知されたＩＤコードと携帯電話固有情報（電子メールアドレス）とを対応付けてＩＤ情報としてメモリ２２に記憶し、当該ＩＤコードを合い鍵として有効になるように設定する（ステップＳ２７）。そして、自動扉施錠制御装置２０は、ＩＤ情報を合い鍵情報としてサーバに送信する（ステップＳ２８）。ここでは、マスター側のＩＣチップ搭載端末５の携帯電話固有情報も送信される。これにより、サーバ１のＩＤデータベースにＩＤ情報が登録されるとともに、マスター鍵と合い鍵とが対応付けされて記憶される（ステップＳ２９）。
【００３１】
そして、玄関の扉を解錠する場合、合い鍵となるＩＣチップ搭載端末５が通信可能な距離内に近づけられると、リーダライタ３は、ＩＣチップ搭載端末５からＩＤコードを読み出し、自動扉施錠制御装置２０に出力する（ステップＳ３０）。自動扉施錠制御装置２０のアプリケーション部２４は、リーダライタ３によって読み出したＩＤコードとメモリ２２に記憶されたＩＤコードとを比較して一致するか否かを検出し、一致する場合に、さらに有効期間内であるかを検出し、有効期間内である場合に、電子錠制御装置４に解錠の指示を出力する（ステップＳ３１）。そして、アプリケーション部２４は、施錠から解錠にステータスが変更したことをサーバ１に送信する（ステップＳ３２）。錠のステータスの変更履歴としてメモリ２２に記憶し（ステップＳ３３）、鍵の状態変化をマスター鍵となるＩＣチップ搭載端末５に送信する（ステップＳ３４）。
【００３２】
サーバ１は、自動扉施錠制御装置２０からステータスの変更について履歴を受信して記憶する（ステップＳ３５）。
【００３３】
この実施形態によれば、合い鍵を使用した際に、施錠から解錠したことを示す状態遷移をマスター側のＩＣチップ搭載端末５に送信するようにしたので、例えば、親がマスター側のＩＣチップ搭載端末５を所有し、子が合い鍵側のＩＣチップ搭載端末５を所有している場合に、子の帰宅を親が遠隔にいても把握することができる。
【００３４】
また、上述した実施形態において、電源２１から自動扉施錠制御装置２０への電源の供給が停止された場合、別途独立して設けられた電源４１から電子錠制御装置４に電源が供給されているので、２ボタン式入力部からＩＤコードに相当する番号を２つのボタンを利用して暗証番号を入力することによって、電子錠制御装置４を解錠させることも可能である。これにより、自動扉施錠制御装置２０に対する電源供給が停止した非常時においても、扉を解錠することが可能である。
【００３５】
なお、上述した実施形態において、扉は玄関である場合について説明したが、マンション等の集合住宅である場合には、エントランスの扉にも適用することが可能である。また、扉は、解錠状態になることにより、ドアノブを持って開く場合について説明したが、引き戸に適用するようにしてもよく、また、ＩＤコードが一致した場合に解錠状態となり、ドアも開く自動ドアタイプに適用することも可能である。
【００３６】
また、上述した実施形態においては、マスター側のユーザは、自動扉施錠制御装置２０メールを受信することによってステータスの変更を把握することができるが、マスター側のＩＣチップ搭載端末５がサーバ１または自動扉施錠制御装置２０にステータスを参照するべく、アクセスするようにしてもよい。これにより、任意のタイミングで、解錠と施錠のいずれの状態であるかを把握することが可能である。また、ここでは、ステータスの変更履歴を参照するようにしてもよい。
【００３７】
また、上述した実施形態において、電子メールアドレスを利用して、管理端末７から、マスター側や合い鍵側のＩＣチップ搭載端末５に対し、メッセージを送信するようにしてもよい。
さらにまた、上述した実施形態において、有効期限を設けるようにしたので、この有効期限を適宜設定することにより、休止や有効期間の変更を行うことができる。
【００３８】
また、上述した実施形態において、数桁（１４桁等）のコードを２ボタン式入力部２１から入力して解錠する場合について説明したが、このコードの入力は、２ボタン式入力部２１に限られるものではなく、入力部としてボタン数が１のものであってもよく、また、３以上のものであってもよい。
【図面の簡単な説明】
【００３９】
【図１】この発明の一実施形態による自動扉施錠システムの機能構成を示す概略ブロック図である。
【図２】自動扉施錠システムの構成を示す概略ブロック図である。
【図３】自動扉施錠システムの動作を説明するための図面である。
【図４】自動扉施錠システムの動作を説明するための図面である。
【符号の説明】
【００４０】
１  サーバ                          ２  鍵制御ボード
３  リーダライタ                    ４  電子錠制御装置
５  ＩＣチップ搭載端末              ６  入居者端末
７  管理端末
【図１】
2006322172.tif 000003
【図２】
2006322172.tif 000004
【図３】
2006322172.tif 000005
【図４】
2006322172.tif 000006